(57)【要約】【課題】車室内で異なるオーディオソースを再生する際に、各オーディオソースの聴取者がそれぞれ再生音を好適に聴取することできる音響再生装置を提供する。【解決手段】音響再生装置は、複数のスピーカＳＰＦ，ＳＰＲ，ＳＰＣ，ＳＰＷと、複数のオーディオソースを備える音源１と、音源１からの音響信号をスピーカＳＰＦ，ＳＰＲ，ＳＰＣ，ＳＰＷに割り当てて供給する信号処理装置２とを備える。信号処理装置２は、２以上のオーディオソースの聴取が指示され、１つのオーディオソースが５．１チャンネル信号である場合は、指示された他のオーディオソースの音響信号をスピーカＳＰＦに供給すると共に、他のオーディオソースの音響信号が割り当てられていない残余のスピーカＳＰＲ，ＳＰＣ，ＳＰＷに対応するように、５．１チャンネル信号にダウンミックス処理を施し、処理後のチャンネル信号を残余のスピーカＳＰＲ，ＳＰＣ，ＳＰＷに供給する。【選択図】      図１
2006287574.tif 000002
【特許請求の範囲】
【請求項１】
複数のオーディオソースを備える音源と、前記音源からの音響信号を複数のスピーカに割り当てて供給する信号処理手段とを備える音響再生装置であって、
前記信号処理手段は、２以上のオーディオソースの聴取が指示され、１つのオーディオソースの音響信号が５．１チャンネル信号である場合は、指示された他のオーディオソースの音響信号が割り当てられていない残余のスピーカに対応するように、前記５．１チャンネル信号にダウンミックス処理を施し、処理後のチャンネル信号を前記残余のスピーカに供給することを特徴とする音響再生装置。
【請求項２】
前記信号処理手段は、５．１チャンネル信号を供給する複数のスピーカの配置に基づいて、各スピーカの音量を整合するように設定することを特徴とする請求項１に記載の音響再生装置。
【請求項３】
前記信号処理手段は、５．１チャンネル信号を供給する複数のスピーカの配置に基づいて、各スピーカへの音響信号を供給するタイミングを調整することを特徴とする請求項１または２に記載の音響再生装置。
【請求項４】
音声出力部を備えた表示装置と、複数のオーディオソースを備える音源と、前記音源からの音響信号を複数のスピーカおよび前記音声出力部に割り当てて供給する信号処理手段とを備える音響再生装置であって、
前記音源は、複合デジタル５．１チャンネル信号を出力するソースを有し、
前記信号処理手段は、前記複合デジタル５．１チャンネル信号を各チャンネル信号に分離して所定の処理を施して出力するデジタル信号処理部と、前記デジタル信号処理部から出力される各チャンネル信号をアナログ信号に変換して複数の前記スピーカに供給するデジタル／アナログ変換器と、前記デジタル信号処理部で分離された各チャンネル信号をミキシングして出力する合成部と、前記デジタル信号処理部からのフロントチャンネル信号と前記音源のオーディオソースからの音響信号とを選択してフロントスピーカに供給するフロント側ソース切換スイッチと、前記合成部からのミキシング信号と前記音源のオーディオソースからの音響信号とを選択して前記表示装置が備える音声出力部に供給するリア側ソース切換スイッチと、前記フロント側ソース切換スイッチおよび前記リア側ソース切換スイッチを制御する制御部とを備え、
前記制御部は、複数のソースの聴取が指示された場合、前記リア側ソース切換スイッチを切り換えて前記合成部からのミキシング信号を前記表示装置が備える音声出力部に供給すること特徴とする音響再生装置。
【請求項５】
前記合成部は、フロントチャンネル信号とセンタチャンネル信号とをミキシングして出力し、
前記デジタル信号処理部は、リアチャンネル信号をリアスピーカに供給し、ウーファチャンネル信号をウーファに供給することを特徴とする請求項４記載の音響再生装置。
【請求項６】
前記デジタル信号処理部は、前記表示装置の音声出力部に供給されるミキシング信号の音量に整合するようにリアチャンネル信号およびウーファチャンネル信号の各音量を設定することを特徴とする請求項５記載の音響再生装置。
【請求項７】
前記リア側ソース切換スイッチは、外部ソースからの音響信号を入力し、
前記制御部は、前記音声出力部への割込要求が指示されたときは、前記リア側ソース切換スイッチを切り換えて前記外部ソースからの音響信号を前記表示装置の音声出力部に供給することを特徴とする請求項４〜６のいずれか１項に記載の音響再生装置。
【請求項８】
前記合成部は、前記デジタル信号処理部で分離されたデジタル信号をミキシングしてからアナログ信号に変換して出力することを特徴とする請求項４〜７のいずれか１項に記載の音響再生装置。
【請求項９】
前記合成部は、前記デジタル信号処理部で分離されたデジタル信号をアナログ信号に変換してからミキシングして出力することを特徴とする請求項４〜７のいずれか１項に記載の音響再生装置。
【発明の詳細な説明】
【技術分野】
【０００１】
本発明は、複数のオーディオソースの中からユーザが選択した１つまたは複数のソースを再生する音響再生装置に関し、詳しくは車両の車室内に配置された複数個のスピーカを使用してユーザが選択した１つまたは複数のソースを再生するのに好適な音響再生装置に関する。
【背景技術】
【０００２】
近年、映像や音楽を視聴するためのＡＶ（Audio Visual）再生システムが車両に搭載されるようになってきている。このＡＶ再生システムは、映像再生装置と音響再生装置とを備えて構成されている。例えばＤＶＤを再生する場合は、映像信号は映像再生装置で再生され、音響信号は音響再生装置で再生される（例えば、特許文献１参照）。
【０００３】
映像再生装置は例えば、コンソールパネルの中央部に設置される前部座席用ディスプレイと、前部座席の背部に設置される後部座席用ディスプレイと、ビデオソースから入力される出力信号を処理して上記のディスプレイに供給する映像処理部とを備えて構成される。また、後部座席用ディスプレイとして、運転席の背部に設置される右側後部座席用と、助手席の背部に設置される左側後部座席用との２台のディスプレイを備えた映像再生装置もある。
【０００４】
音響再生装置は例えば、コンソールパネルの右側および左側にそれぞれ設置される右側フロントスピーカおよび左側フロントスピーカと、コンソールの中央部に設置されるセンタスピーカと、後部座席の右側および左側にそれぞれ設置される右側リアスピーカおよび左側リアスピーカと、後部座席の中央部に設置されるサブウーファと、複数のオーディオソースから入力される出力信号を処理して上記の複数のスピーカで再生する音響信号を作成して各スピーカに供給する信号処理部とを備えて構成される。上記の６つのスピーカを備えた音響再生装置では、いわゆる５．１チャンネルのオーディオソースからの音響信号を再生することができる。５．１チャンネルの音響信号を再生する音響再生装置は、例えば特許文献２に記載されている。
【特許文献１】特開２００４−１７９１４号公報
【特許文献２】特開平１１−８８９９９号公報
【発明の開示】
【発明が解決しようとする課題】
【０００５】
上述したような車両に搭載されるＡＶ再生システムでは、前部座席の乗員と後部座席の乗員とが異なるソースを選択して再生できるように構成されている。例えば、前部座席の乗員がソースとしてＣＤプレーヤを選択し、後部座席の乗員がソースとしてＤＶＤプレーヤを選択した場合、ＣＤプレーヤからの左右２チャンネルの音響信号はそれぞれ左側フロントスピーカおよび右側フロントスピーカから出力され、ＤＶＤプレーヤからのマルチチャンネルの音響信号は残りのスピーカ、つまり左側リアスピーカ、右側リアスピーカ、センタスピーカおよびサブウーファの中から後部座席の乗員が選択したスピーカから出力される。このとき、ＤＶＤプレーヤからの音響信号が５．１チャンネルである場合、リアスピーカが選択されたときは、フロント側の左チャンネルおよび右チャンネルの各信号ならびにセンタチャンネルおよびウーファチャンネルの各信号は、リア側の左チャンネルおよび右チャンネルの各信号にミキシングされて、左側リアスピーカおよび右側リアスピーカから出力される。また、リアスピーカとセンタスピーカとが選択されたときは、センタチャンネルの信号はセンタスピーカから出力され、リアスピーカとウーファとが選択されたときは、ウーファチャンネルの信号はサブウーファから出力される。
【０００６】
このように前部座席側と後部座席側とで選択されたオーディオソースが異なり、後部座席側のオーディオソースのチャンネル信号をセンタスピーカで再生した場合、センタスピーカは後部座席の乗員から見てリアスピーカよりも離れた場所に設置されているので、後部座席の乗員にとってはセンタスピーカからの再生音（５．１チャンネルの場合は台詞や会話などの人の声）が聴き取りにくくなるという問題がある。
【０００７】
本発明の目的は、車室内で異なるオーディオソースを再生する際に、各オーディオソースの聴取者がそれぞれ再生音を好適に聴取することできる音響再生装置を提供することにある。
【課題を解決するための手段】
【０００８】
請求項１に係る発明は、複数のオーディオソースを備える音源と、前記音源からの音響信号を複数のスピーカに割り当てて供給する信号処理手段とを備える音響再生装置であって、
前記信号処理手段は、２以上のオーディオソースの聴取が指示され、１つのオーディオソースの音響信号が５．１チャンネル信号である場合は、指示された他のオーディオソースの音響信号が割り当てられていない残余のスピーカに対応するように、前記５．１チャンネル信号にダウンミックス処理を施し、処理後のチャンネル信号を前記残余のスピーカに供給することを特徴とする音響再生装置である。
【０００９】
本発明によれば、５．１チャンネル信号のオーディオソースを含む２以上のオーディオソースの聴取が指示されたときは、５．１チャンネル信号のオーディオソース以外の他のオーディオソースの音響信号が特定のスピーカに供給され、５．１チャンネル信号は、残余のスピーカに対応するようにダウンミックス処理が施され、処理後のチャンネル信号が前記残余のスピーカに供給される。
【００１０】
例えばＤＶＤと他のオーディオソース（例えばチューナ）との聴取が指示されると、他のオーディオソースの音響信号が例えば２つのフロントスピーカに供給される。そして、ＤＶＤ再生による５．１チャンネル信号には、残余のスピーカ、例えば２つのリアスピーカとセンタスピーカとウーファとに対応するようにダウンミックス処理が施され、処理後のチャンネル信号が残余のスピーカに供給される。なお、５．１チャンネル信号を３．１チャンネル信号にダウンミックスして残余のスピーカすべてに供給するようにしてもよいし、２．１チャンネルにダウンミックスして２つのリアスピーカとウーファとに供給するようにしてもよいし、２チャンネルにダウンミックスして２つのリアスピーカに供給するようにしてもよい。
【００１１】
請求項２に係る発明は、前記信号処理手段は、５．１チャンネル信号を供給する複数のスピーカの配置に基づいて、各スピーカの音量を整合するように設定することを特徴としている。
【００１２】
本発明によれば、５．１チャンネル信号が供給されるスピーカの音量は、供給されるスピーカの配置に基づいて、各スピーカの音量が整合するように設定される。例えばＤＶＤ再生による５．１チャンネル信号が２つのリアスピーカおよびセンタスピーカから出力されるときは、センタスピーカの音量がリアスピーカの音量に整合するように設定される。つまり、センタスピーカの音量を増加させる。これは、リア席の乗員にとってはセンタスピーカはリアスピーカよりも遠方にあるため、リアスピーカによる再生音に比べてセンタスピーカによる再生音が聴き取りにくいからである。これによって、リア席の乗員はＤＶＤ再生による音響信号を好適な状態で聴取することができるようになる。
【００１３】
請求項３に係る発明は、前記信号処理手段は、５．１チャンネル信号を供給する複数のスピーカの配置に基づいて、各スピーカへの音響信号を供給するタイミングを調整することを特徴としている。
【００１４】
本発明によれば、５．１チャンネル信号が供給されるスピーカへの音響信号の供給タイミングは、供給されるスピーカの配置に基づいて調整される。例えばＤＶＤ再生による５．１チャンネル信号が２つのリアスピーカおよびセンタスピーカから出力されるときは、センタスピーカから音響信号が出力されるタイミングよりも、リアスピーカから音響信号が出力されるタイミングが遅延される。これは、リア席の乗員にとってはセンタスピーカはリアスピーカよりも遠方にあるため、リアスピーカによる再生音に比べてセンタスピーカによる再生音が乗員の耳に到達するまでの時間が長くなり、ずれが生じるからである。これによって、リア席の乗員は例えばＤＶＤ再生による５．１チャンネル信号を好適な状態で聴取することができるようになる。
【００１５】
請求項４に係る発明は、音声出力部を備えた表示装置と、複数のオーディオソースを備える音源と、前記音源からの音響信号を複数のスピーカおよび前記音声出力部に割り当てて供給する信号処理手段とを備える音響再生装置であって、
前記音源は、複合デジタル５．１チャンネル信号を出力するソースを有し、
前記信号処理手段は、前記複合デジタル５．１チャンネル信号を各チャンネル信号に分離して所定の処理を施して出力するデジタル信号処理部と、前記デジタル信号処理部から出力される各チャンネル信号をアナログ信号に変換して複数の前記スピーカに供給するデジタル／アナログ変換器と、前記デジタル信号処理部で分離された各チャンネル信号をミキシングして出力する合成部と、前記デジタル信号処理部からのフロントチャンネル信号と前記音源のオーディオソースからの音響信号とを選択してフロントスピーカに供給するフロント側ソース切換スイッチと、前記合成部からのミキシング信号と前記音源のオーディオソースからの音響信号とを選択して前記表示装置が備える音声出力部に供給するリア側ソース切換スイッチと、前記フロント側ソース切換スイッチおよび前記リア側ソース切換スイッチを制御する制御部とを備え、
前記制御部は、複数のソースの聴取が指示された場合、前記リア側ソース切換スイッチを切り換えて前記合成部からのミキシング信号を前記表示装置が備える音声出力部に供給すること特徴とする音響再生装置である。
【００１６】
本発明によれば、例えばリア席でＤＶＤソースの聴取が指示され、フロント席で他のオーディオソース（例えばチューナ）の聴取が指示されると、他のオーディオソースの音響信号は、信号処理手段を介して２つのフロントスピーカに供給される。このとき、ＤＶＤ再生による複合デジタル５．１チャンネル信号は、信号処理手段内のデジタル信号処理部で各チャンネル信号に分離され、合成部でミキシングされる。そして、ミキシング信号が例えばリア席の乗員のために配置された表示装置の音声出力部に供給される。
【００１７】
請求項５に係る発明は、前記合成部は、フロントチャンネル信号とセンタチャンネル信号とをミキシングして出力し、
前記デジタル信号処理部は、リアチャンネル信号をリアスピーカに供給し、ウーファチャンネル信号をウーファに供給することを特徴としている。
【００１８】
本発明によれば、例えばリア席でＤＶＤソースの音響信号を聴取する場合は、フロントチャンネル信号およびセンタチャンネル信号は表示装置の音声出力部から出力され、リアチャンネル信号およびウーファチャンネル信号はそれぞれ２つのリアスピーカおよびウーファから出力される。
【００１９】
請求項６に係る発明は、前記デジタル信号処理部は、前記表示装置の音声出力部に供給
されるミキシング信号の音量に整合するようにリアチャンネル信号およびウーファチャンネル信号の各音量を設定することを特徴としている。
【００２０】
本発明によれば、例えばリア席でＤＶＤソースの音響信号を聴取する場合は、表示装置の音声出力部に供給されるミキシング信号の音量に整合するように、リアチャンネル信号およびウーファチャンネル信号の各音量が設定される。
【００２１】
請求項７に係る発明は、前記リア側ソース切換スイッチは、外部ソースからの音響信号を入力し、
前記制御部は、前記音声出力部への割込要求が指示されたときは、前記リア側ソース切換スイッチを切り換えて前記外部ソースからの音響信号を前記表示装置の音声出力部に供給することを特徴としている。
【００２２】
本発明によれば、表示装置の音声出力部への割込み要求が指示されると、外部ソースからの音響信号が表示装置の音声出力部に供給され、表示装置を視聴している例えばリア席の乗員は外部ソースの音響信号を聴取できるようになる。
【００２３】
請求項８に係る発明は、前記合成部は、前記デジタル信号処理部で分離されたデジタル信号をミキシングしてからアナログ信号に変換して出力することを特徴としている。また請求項９に係る発明は、前記合成部は、前記デジタル信号処理部で分離されたデジタル信号をアナログ信号に変換してからミキシングして出力することを特徴としている。
【００２４】
本発明によれば、デジタル信号処理部で分離されたデジタル信号のミキシングは、デジタル信号の段階でミキシングしてからアナログ信号に変換してもよいし、アナログ信号に変換してからミキシングしてもよい。
【発明の効果】
【００２５】
請求項１記載の発明によれば、例えば乗員が５．１チャンネル信号と他のオーディオソースとの聴取を指示すると、各ソースの音響信号を出力するスピーカが決定され、決定されたスピーカに対応するように５．１チャンネル信号にダウンミックス処理が施されて出力される。これによって、乗員が各ソースの再生音を最適な状態で聴取できるようになるとともに、ソースごとにスピーカの設定を行う必要がなくなり、利便性および操作性が向上する。
【００２６】
請求項２記載の発明によれば、５．１チャンネル信号を供給する複数のスピーカの配置に基づいて音量が調節されるので、５．１チャンネル信号の聴取者は５．１チャンネル信号を好適な状態で聴取することができる。例えば、リア席の乗員が５．１チャンネル信号聴取する場合は、センタスピーカからの再生音の音量を大きくすることができる。これによって、５．１チャンネル信号の聴取者は５．１チャンネル信号を好適な状態で聴取することができる。
【００２７】
請求項３記載の発明によれば、５．１チャンネル信号を供給する複数のスピーカの配置に基づいて、各スピーカへの音響信号を供給するタイミングが調整される。例えば、リア席の乗員が５．１チャンネル信号聴取する場合は、リアスピーカからの再生音とセンタスピーカからの再生音とがほぼ同じタイミングでリア席の乗員に到達するようにタイミングを調節することができる。これによって、５．１チャンネル信号の聴取者は５．１チャンネル信号を好適な状態で聴取することができる。
【００２８】
請求項４記載の発明によれば、例えばリア席に表示装置を設置し、リア席の乗員が５．１チャンネル信号の聴取を指示し、フロント席の乗員が他のオーディオソースの聴取を指
示すると、他のオーディオソースの音響信号が２つのフロントスピーカから出力され、５．１チャンネル信号はミキシングされて表示装置の音声出力部から出力される。これによって、フロント席およびリア席の各乗員はそれぞれ好適な状態で音響信号を聴取できるようになる。
【００２９】
また、５．１チャンネル信号をダウンミックスした信号を音源から信号処理手段に与えて音声出力部に供給するように構成すると、音源と信号処理手段とを接続する信号線としてダウンミックス信号用の信号線が必要となり、構成が複雑になる。これに対し、本発明では、ダウンミックス信号用の信号線が不要となり、構成の簡略化が可能となる。
【００３０】
請求項５記載の発明によれば、例えばリア席に表示装置を設置し、リア席で５．１チャンネル信号を聴取する場合は、フロントチャンネル信号およびセンタチャンネル信号は表示装置の音声出力部から出力され、リアチャンネル信号およびウーファチャンネル信号はそれぞれ２つのリアスピーカおよびウーファから出力される。これによって、リア席の乗員は５．１チャンネル信号を、音声出力部のみから聴取する場合に比べて好適な状態で聴取することができるようになる。
【００３１】
請求項６記載の発明によれば、例えばリア席に表示装置を設置し、リア席で５．１チャンネル信号を聴取する場合は、表示装置の音声出力部に供給されるミキシング信号の音量に整合するように、リアチャンネル信号およびウーファチャンネル信号の各音量が設定される。これによって、リア席の乗員は５．１チャンネル信号をより好適な状態で聴取できるようになる。
【００３２】
請求項７記載の発明によれば、表示装置の音声出力部への割込み要求が指示されると、外部ソースからの音響信号が音声出力部に供給され、音声出力部の聴取者は外部ソースの音響信号を聴取できるようになる。これによって、外部ソースとして例えばマイクロフォンの音声信号を入力すれば、フロント席の乗員がリア席の乗員に話をすることができるようになり、例えば携帯電話機の音声出力端子の音声信号を入力すれば、リア席の乗員は携帯電話機による通話ができるようになる。
【００３３】
請求項８または９に記載の発明によれば、デジタル信号処理部の構成に応じて、デジタル信号の段階でミキシングしてからアナログ信号に変換してもよいし、アナログ信号に変換してからミキシングしてもよい。
【発明を実施するための最良の形態】
【００３４】
（第１の実施形態）
以下、本発明の第１実施形態を、図１および図２を参照しながら説明する。図１は、本発明の第１実施形態である音響再生装置の概略的構成を示すブロック図である。
【００３５】
音響再生装置は、車室内の前方側に配置されるフロントスピーカＳＰＦと、車室内の後方側に配置されるリアスピーカＳＰＲと、車室内の前方中央部に配置されるセンタスピーカＳＰＣと、車室内に配置されるウーファＳＰＷと、複数のオーディオソースを備える音源１と、音源１からの音響信号を複数のスピーカＳＰＦ，ＳＰＲ，ＳＰＣ，ＳＰＷに割り当てて供給する信号処理装置２とを備えて構成される。なお、フロントスピーカＳＰＦは、前方右側に配置される右側フロントスピーカと、前方左側に配置される左側フロントスピーカとで構成される。また、リアスピーカＳＰＲは、後方右側に配置される右側リアスピーカと、後方左側に配置される左側リアスピーカとで構成される。
【００３６】
音源１は、オーディオソースとして、ＤＶＤプレーヤ１１とＣＤプレーヤ１２とチューナ１３とを備えて構成される。信号処理装置２は、フロント用ＤＳＰ２１と、リア用ＤＳ
Ｐ２２と、フロント切換スイッチ２３と、リア切換スイッチ２４と、センタ切換スイッチ２５と、ウーファ切換スイッチ２６と、制御部２７と、操作部２８とを備えて構成される。
【００３７】
フロント用ＤＳＰ２１は、音源１から入力される音響信号を処理して各チャンネル信号を作成し、フロントチャネル信号をフロント切換スイッチ２３に、リアチャンネル信号をリア切換スイッチ２４に、センタチャンネル信号をセンタ切換スイッチ２５に、ウーファチャンネル信号をウーファ切換スイッチ２６にそれぞれ出力する。フロント用ＤＳＰ２１は、デコード回路２１ａ、遅延回路２２ｂおよび音量調整回路２２ｃを備える。デコード回路２１ａは、ＤＶＤプレーヤ１１から出力されるデジタル複合５．１チャンネル信号を分離して各チャンネル信号を作成して出力する。遅延回路２２ｂは、チャンネル信号を出力するタイミングを調整するためにチャンネルごとに遅延時間を設定する。音量調整回路２１ｃは、各チャンネル信号の音量を調整する。
【００３８】
リア用ＤＳＰ２２は、フロント用ＤＳＰ２１と同様に、音源１から入力される音響信号を処理して各チャンネル信号を作成し、フロントチャネル信号をフロント切換スイッチ２３に、リアチャンネル信号をリア切換スイッチ２４に、センタチャンネル信号をセンタ切換スイッチ２５に、ウーファチャンネル信号をウーファ切換スイッチ２６にそれぞれ出力する。リア用ＤＳＰ２２は、デコード回路２２ａ、遅延回路２２ｂおよび音量調整回路２２ｃを備える。これらの回路２２ａ，２２ｂ，２２ｃの処理内容は、フロント用ＤＳＰ２１内の回路２１ａ，２１ｂ，２１ｃと同じである。
【００３９】
フロント切換スイッチ２３は、フロント用ＤＳＰ２１からのフロントチャンネル信号と、リア用ＤＳＰ２２からのフロントチャンネル信号とのいずれか一方をフロントスピーカＳＰＦに出力する。リア切換スイッチ２４は、フロント用ＤＳＰ２１からのリアチャンネル信号と、リア用ＤＳＰ２２からの合成リアチャンネル信号とのいずれか一方をリアスピーカＳＰＲに出力する。合成リアチャンネル信号とは、リアチャンネル信号とフロントチャンネル信号とをミキシングした信号である。
【００４０】
センタ切換スイッチ２５は、フロント用ＤＳＰ２１からのセンタチャンネル信号と、リア用ＤＳＰ２２からのセンタチャンネル信号と、外部ソースであるナビゲーション装置３からの音声信号とのいずれか１つをセンタスピーカＳＰＣに出力する。ウーファ切換スイッチ２６は、フロント用ＤＳＰ２１からのウーファチャンネル信号と、リア用ＤＳＰ２２らのウーファチャンネル信号とのいずれか一方をウーファＳＰＷに出力する。
【００４１】
制御部２７は、マイクロコンピュータなどで構成され、操作部２８からの指示信号に基づいて、フロント用ＤＳＰ２１およびリア用ＤＳＰ２２の動作の制御や、フロント切換スイッチ２３、リア切換スイッチ２４、センタ切換スイッチ２５およびウーファ切換スイッチ２６の切換制御を行うとともに、音源１から信号処理装置２に入力させる音響信号を選択する。操作部２８は、キースイッチや、ディスプレイにタッチパネルを重ね合わせて構成され、音響再生装置の動作内容を入力するために乗員によって操作され、指示信号を制御部２７に出力する。
【００４２】
図２は、音響再生装置におけるＤＶＤ再生時の処理手順を説明するためのフローチャートである。ステップａ１では、制御部２７は操作部２８からの指示信号に基づいてＤＶＤの再生が指示されたか否かを判断する。ＤＶＤの再生が指示されたと判断した場合は、ステップａ２に進み、リア席のみでの再生か否かを判断する。リア席のみでの再生であると判断した場合は、ステップａ３に進む。
【００４３】
ステップａ３では、リア用ＤＳＰ２２に対してＤＶＤ再生時に再生信号の出力対象とな
るスピーカに対応するダウンミックス処理を設定する。つまり、２つのリアスピーカＳＰＲのみを出力対象スピーカとする場合は、５．１チャンネルを２チャンネルにするダウンミックス処理を設定する。２つのリアスピーカＳＰＲとウーファＳＰＷとを出力対象スピーカとする場合は、５．１チャンネルを２．１チャンネルにするダウンミックス処理を設定する。２つのリアスピーカＳＰＲとセンタスピーカＳＰＣとを出力対象スピーカとする場合は、５．１チャンネルを３チャンネルにするダウンミックス処理を設定する。２つのリアスピーカＳＰＲとセンタスピーカＳＰＣとウーファＳＰＷとを出力対象スピーカとする場合は、５．１チャンネルを３．１チャンネルにするダウンミックス処理を設定する。出力対象スピーカは、乗員によって予め設定されている。
【００４４】
ステップａ４では、切換スイッチ２３〜２６を切り換えて出力対象スピーカとリア用ＤＳＰ２２とを接続する。つまり、２つのリアスピーカＳＰＲのみを出力対象スピーカとする場合は、リア切換スイッチ２４を切り換えて２つのリアスピーカＳＰＲをリア用ＤＳＰ２２に接続する。２つのリアスピーカＳＰＲとウーファＳＰＷとを出力対象スピーカとする場合は、リア切換スイッチ２４およびウーファ切換スイッチ２６を切り換えて２つのリアスピーカＳＰＲとウーファＳＰＷとをリア用ＤＳＰ２２に接続する。２つのリアスピーカＳＰＲとセンタスピーカＳＰＣとを出力対象スピーカとする場合は、リア切換スイッチ２４およびセンタ切換スイッチ２５を切り換えて２つのリアスピーカＳＰＲとセンタスピーカＳＰＣとをリア用ＤＳＰ２２に接続する。２つのリアスピーカＳＰＲとセンタスピーカＳＰＣとウーファＳＰＷとを出力対象スピーカとする場合は、リア切換スイッチ２４、センタ切換スイッチ２５およびウーファ切換スイッチ２６を切り換えて２つのリアスピーカＳＰＲとセンタスピーカＳＰＣとウーファＳＰＷとをリア用ＤＳＰ２２に接続する。
【００４５】
ステップａ５では、リア用ＤＳＰ２２の遅延回路２２ｂの遅延時間および音量調整回路２２ｃの音量を調整する。つまり、２つのリアスピーカＳＰＲとセンタスピーカＳＰＣとを出力対象スピーカとする場合に、これらのスピーカに与える音響信号に関して遅延時間と音量とを調整する。具体的には、リアスピーカＳＰＲに与える音響信号をセンタスピーカＳＰＣに与える音響信号よりも遅延させるとともに、センタスピーカＳＰＲに与える音響信号の音量を大きくなるように設定する。これによって、リア席の乗員は、センタスピーカＳＰＣおよびリアスピーカＳＰＲから各再生音を最適な状態で聴くことができるようになる。最後に、ステップａ６では、ＤＶＤプレーヤ１１でＤＶＤを再生して再生信号をリア用ＤＳＰ２２に供給させる。
【００４６】
上記のステップａ２においてリア席のみの再生ではないと判断した場合は、ステップａ７に進む。ステップａ７では、フロント席のみでの再生か否かを判断する。フロント席のみでの再生であると判断した場合は、ステップａ８に進む。
【００４７】
ステップａ８では、フロント用ＤＳＰ２１に対してＤＶＤ再生時に再生信号の出力対象となるスピーカに対応するダウンミックス処理を設定する。つまり、２つのフロントスピーカＳＰＦのみを出力対象スピーカとする場合は、５．１チャンネルを２チャンネルにするダウンミックス処理を設定する。２つのフロントスピーカＳＰＦとウーファＳＰＷとを出力対象スピーカとする場合は、５．１チャンネルを２．１チャンネルにするダウンミックス処理を設定する。２つのフロントスピーカＳＰＦとセンタスピーカＳＰＣとを出力対象スピーカとする場合は、５．１チャンネルを３チャンネルにするダウンミックス処理を設定する。２つのフロントスピーカＳＰＦとセンタスピーカＳＰＣとウーファＳＰＷとを出力対象スピーカとする場合は、５．１チャンネルを３．１チャンネルにするダウンミックス処理を設定する。出力対象スピーカは、乗員によって予め設定されている。
【００４８】
ステップａ９では、切換スイッチを切り換えて出力対象スピーカとフロント用ＤＳＰ２１とを接続する。つまり、２つのフロントスピーカＳＰＦのみを出力対象スピーカとする
場合は、フロント切換スイッチ２３を切り換えて２つのフロントスピーカＳＰＦをフロント用ＤＳＰ２１に接続する。２つのフロントスピーカＳＰＦとウーファＳＰＷとを出力対象スピーカとする場合は、フロント切換スイッチ２３およびウーファ切換スイッチ２６を切り換えて２つのフロントスピーカＳＰＦとウーファＳＰＷとをフロント用ＤＳＰ２１に接続する。２つのフロントスピーカＳＰＦとセンタスピーカＳＰＣとを出力対象スピーカとする場合は、フロント切換スイッチ２３およびセンタ切換スイッチ２５を切り換えて２つのフロントスピーカＳＰＦとセンタスピーカＳＰＣとをフロント用ＤＳＰ２１に接続する。２つのフロントスピーカＳＰＦとセンタスピーカＳＰＣとウーファＳＰＷとを出力対象スピーカとする場合は、フロント切換スイッチ２３、センタ切換スイッチ２５およびウーファ切換スイッチ２６を切り換えて２つのフロントスピーカＳＰＦとセンタスピーカＳＰＣとウーファＳＰＷとをフロント用ＤＳＰ２１に接続する。最後に、ステップａ１０では、ＤＶＤプレーヤ１１でＤＶＤを再生して再生信号をフロント用ＤＳＰ２１に供給させる。
【００４９】
上記のステップａ７においてフロント席のみの再生ではないと判断した場合は、フロント席およびリア席の両方での再生であると判断し、切換スイッチ２３〜２６を切り換えてすべてのスピーカＳＰＦ，ＳＰＲ，ＳＰＣ，ＳＰＷとフロント用ＤＳＰ２１とを接続する。最後に、ステップａ１２では、ＤＶＤプレーヤ１１でＤＶＤを再生して再生信号をフロント用ＤＳＰ２１に供給させる。
【００５０】
上記のステップａ１においてＤＶＤの再生指示ではないと判断した場合は、ステップａ１３に進む。ステップａ１３では、指示されたオーディオソースの再生を行う。例えば、フロント席でのＣＤの再生が指示された場合は、フロント切換スイッチ２３を切り換えて２つのフロントスピーカＳＰＦをフロント用ＤＳＰ２１に接続し、ＣＤプレーヤ１２でＣＤを再生して再生信号をフロント用ＤＳＰ２１に供給させる。また、リア席でのチューナ１３の聴取が指示された場合は、リア切換スイッチ２４を切り換えて２つのリアスピーカＳＰＲをリア用ＤＳＰ２２に接続し、チューナ１３からの再生信号をリア用ＤＳＰ２２に供給させる。
【００５１】
ステップａ１４では、センタスピーカＳＰＣを使用しているか否かを判断する。センタスピーカＳＰＣを使用していないと判断した場合は、ステップａ１５に進み、センタスピーカＳＰＣが使用可能であることを乗員に報知する。乗員への報知は、例えば操作部２８を構成するディスプレイの表示画面にメッセージ文を表示することによって行われる。
【００５２】
ステップａ１６では、センタスピーカＳＰＣへの外部ソース出力が指示されたか否かを判断する。外部ソース出力が指示されたと判断した場合は、ステップａ１７に進み、センタ切換スイッチ２５を切り換えてセンタスピーカＳＰＣと外部ソースであるナビゲーション装置３とを接続して、ナビゲーション装置３からの音声信号をセンタスピーカＳＰＣで音響化して出力させる。これによって、ナビゲーション装置３による音声案内をセンタスピーカＳＰＣで聞くことができるようになる。
【００５３】
上記第１実施形態によれば、以下のような効果を得ることができる。
（１）乗員がＤＶＤと他のオーディオソースとの聴取を指示すると、各ソースの音響信号を出力するスピーカが決定され、決定されたスピーカに対応するようにＤＶＤ再生による５．１チャンネル信号にダウンミックス処理が施されて出力される。これによって、乗員が各ソースの再生音を最適な状態で聴取できるようになるとともに、ソースごとにスピーカの設定を行う必要がなくなり、利便性および操作性が向上する。
【００５４】
（２）乗員がオーディオソースの聴取を指示した場合に、センタスピーカＳＰＣが使用されていないときは外部ソースであるナビゲーション装置３からの音声信号をセンタスピ
ーカＳＰＣから出力させることができる。これによって、例えばチューナ１３などのオーディオソースを２つのフロントスピーカＳＰＦで聴取しているときに、ナビゲーション装置３による音声案内をセンタスピーカＳＰＣで聴くことができるようになる。
【００５５】
（３）センタスピーカＳＰＣの音量が調整されるので、リア席の乗員はＤＶＤ再生による音響信号を好適な状態で聴取することができる。
（４）リアスピーカＳＰＲからの再生音とセンタスピーカＳＰＣからの再生音とがほぼ同じタイミングでリア席の乗員に到達するので、リア席の乗員はＤＶＤ再生による音響信号を好適な状態で聴取することができる。
【００５６】
なお、上記実施形態は以下のように変更してもよい。
・ＤＶＤ再生による５．１チャンネル信号の場合を例にとり説明したが、マルチチャンネル信号であれば、同様に実施することができる。
【００５７】
（第２の実施形態）
次に、本発明の第２実施形態を、図３〜図５を参照しながら説明する。図３は、本発明の第２実施形態である音響再生装置の概略的構成を示すブロック図である。
【００５８】
音響再生装置は、車室内の前方側に配置されるフロントスピーカＳＰＦと、車室内の後方側に配置されるリアスピーカＳＰＲと、車室内の前方中央部に配置されるセンタスピーカＳＰＣと、車室内に配置されるウーファＳＰＷと、音声出力部６１ａ，６１ｂを備えリア席乗員のために配置されるリア席用ＴＶユニット６ａ，６ｂと、複数のオーディオソースを備える音源４と、音源４からの音響信号を複数のスピーカＳＰＦ，ＳＰＲ，ＳＰＣ，ＳＰＷおよび音声出力部６１ａ、６１ｂに割り当てて供給する信号処理装置５とを備えて構成される。リア席用ＴＶユニット６ａ，６ｂが、表示装置に相当する。なお、フロントスピーカＳＰＦは、前方右側に配置される右側フロントスピーカと、前方左側に配置される左側フロントスピーカとで構成される。また、リアスピーカＳＰＲは、後方右側に配置される右側リアスピーカと、後方左側に配置される左側リアスピーカとで構成される。
【００５９】
音源４は、オーディオソースとして、ＤＶＤ再生による複合デジタル５．１チャンネル信号を出力するＤＶＤプレーヤ４１と、チューナ４２とを備える。信号処理装置５は、デジタル信号処理部であるＤＩＲ（デジタルインターフェースレシーバ）５１と、ＤＳＰ（デジタルシグナルプロセッサ）５２と、デジタル／アナログ変換器（Ｄ／Ａ変換器）５３Ｆ，５３Ｒ，５３Ｃ，５３Ｗと、増幅器５４Ｆ，５４Ｒ，５４Ｃ，５４Ｗと、ミキシング回路５５と、フロント側ソース切換スイッチ５６と、リア側ソース切換スイッチ５７ａ，５７ｂと、制御部５８と、操作部５９とを備えて構成される。
【００６０】
ＤＩＲ５１は、複合デジタル５．１チャンネル信号を各チャンネル信号に分離してＤＳＰ５２に出力する。ＤＳＰ５２は、各チャンネル信号の音量や出力タイミング（遅延時間）を調整してＤ／Ａ変換器５３Ｆ，５３Ｒ，５３Ｃ，５３Ｗに出力する。Ｄ／Ａ変換器５３Ｆ，５３Ｒ，５３Ｃ，５３Ｗは、各チャンネルのデジタル信号をアナログ信号に変換して増幅器５４Ｆ，５４Ｒ，５４Ｃ，５４Ｗに出力する。増幅器５４Ｆ，５４Ｒ，５４Ｃ，５４Ｗは、各チャンネルのアナログ信号を増幅してスピーカＳＰＦ，ＳＰＲ，ＳＰＣ，ＳＰＷに出力する。なお、フロントチャンネルのアナログ信号を増幅する増幅器５４Ｆの出力は、フロント側ソース切換スイッチ５６に入力される。
【００６１】
ミキシング回路５５は、ＤＳＰ５２で処理された各チャンネル信号をミキシングして出力する。本実施形態では、ＤＳＰ５２内にＤ／Ａ変換器５２ａを設け、各チャンネルのデジタル信号をアナログ信号に変換してからミキシング回路５５でミキシングするように構成している。どのチャンネル信号をミキシングするかは、予め設定されている。本実施形
態では、フロントチャンネル信号とセンタチャンネル信号とをミキシングするように設定されている。Ｄ／Ａ変換器５２ａおよびミキシング回路５５が合成部に相当している。
【００６２】
フロント側ソース切換スイッチ５６は、ＤＳＰ５２からのフロントチャンネル信号と音源４のチューナ４２からの音響信号とのいずれか一方を選択してフロントスピーカＳＰＦに供給する。リア側ソース切換スイッチ５７ａ，５７ｂは、ミキシング回路５５からのミキシング信号と、音源４のチューナ４２からの音響信号と、外部ソース入力端子Ｔ１，Ｔ２に入力される外部ソースからの音響信号とのいずれか１つを選択してリア席用ＴＶユニット６ａ，６ｂが備える音声出力部６１ａ，６１ｂに供給する。制御部５８は、例えばマイクロコンピュータで構成され、操作部５９から入力される指示信号に基づいて、信号処理装置５全体の動作を制御するとともに、フロント側ソース切換スイッチ５６およびリア側ソース切換スイッチ５７ａ，５７ｂを制御する。操作部５９は、キースイッチや、ディスプレイにタッチパネルを重ね合わせて構成され、音響再生装置の動作内容を入力するために乗員によって操作され、指示信号を制御部５８に出力する。
【００６３】
リア席用ＴＶユニット６ａ，６ｂは、音声出力部６１ａ，６１ｂと、液晶表示パネルなどで構成される表示部６２ａ，６２ｂとを備えて構成され、フロント席の背部に配置される。音声出力部６１ａ，６１ｂは、スピーカおよびヘッドフォンジャックで構成され、ヘッドフォンジャックにヘッドフォンを接続すると、スピーカからの出力は遮断されるように構成されている。
【００６４】
図４は、音響再生装置におけるＤＶＤ再生時の処理手順を説明するためのフローチャートである。ステップｂ１では、制御部５８は再生指示が入力されたか否かを判断する。再生指示が入力されたと判断した場合は、ステップｂ２に進み、フロント席とリア席とは別ソースであるか否かを判断する。別ソースであると判断した場合は、ステップｂ３に進み、リア席でのＤＶＤ再生であるか否かを判断する。リア席でのＤＶＤ再生であると判断した場合は、ステップｂ４に進む。
【００６５】
ステップｂ４では、フロント側ソース切換スイッチ５６を切り換えて指示されたオーディオソースからの出力信号がフロントスピーカＳＰＦに供給されるように設定するとともに、リア側ソース切換スイッチ５７ａ，５７ｂを切り換えてミキシング回路５５からの出力信号がリア席用ＴＶユニット６ａ，６ｂの音声出力部６１ａ，６１ｂに供給されるように設定する。
【００６６】
ステップｂ５では、リアスピーカＳＰＲおよびウーファＳＰＷの音量を予め定められている設定値よりも小さく設定する。これは、フロント席の乗員にＤＶＤの再生音が聞こえるのをできる限り抑制して、フロント席での別ソースの聴取状態を良好に保つためである。
【００６７】
ステップｂ６では、ＤＶＤプレーヤ４１でＤＶＤを再生して５．１チャンネル信号をＤＳＰ５２に供給してリア席へのＤＶＤ再生音の出力を行うとともに、指示された別ソースの出力信号をフロントスピーカＳＰＦに供給してフロント席への別ソース再生音の出力を行う。リア席へのＤＶＤ再生音の出力は、フロントチャンネルおよびセンタチャンネルの各チャンネル信号をリア席用ＴＶユニット６ａ，６ｂの音声出力部（スピーカまたはヘッドフォン）６１ａ，６１ｂから出力させるとともに、リアチャンネルおよびウーファチャンネルの各チャンネル信号をリアスピーカＳＰＲおよびウーファＳＰＷからそれぞれ出力させることによって行われる。
【００６８】
上記ステップｂ３においてリア席でのＤＶＤ再生ではないと判断した場合は、ステップｂ７に進み、フロント側ソース切換スイッチ５６を切り換えてＤＳＰ５２からの出力信号
がフロントスピーカＳＰＦに供給されるように設定するとともに、リア側ソース切換スイッチ５７ａ，５７ｂを切り換えて指示されたソースからの出力信号がリア席用ＴＶユニット６ａ，６ｂの音声出力部６１ａ，６１ｂに供給されるように設定する。ステップｂ８では、ＤＶＤプレーヤ４１でＤＶＤを再生して５．１チャンネル信号をＤＳＰ５２に供給してフロント席へのＤＶＤ再生音の出力を行うとともに、指示された別ソースの出力信号をリア席用ＴＶユニット６ａ，６ｂの音声出力部６１ａ，６１ｂに供給してリア席への別ソース再生音の出力を行う。
【００６９】
また、上記ステップｂ２においてフロント席とリア席とが別ソースではないと判断した場合は、ステップｂ７に進み、フロント側ソース切換スイッチ５６およびリア側ソース切換スイッチ５７ａ，５７ｂを切り換えて指示されたソースからの出力信号がスピーカＳＰＦ，ＳＰＲ，ＳＰＣ，ＳＰＷおよび音声出力部６１ａ，６１ｂに供給されるように設定する。ステップｂ８では、指示されたソースからの出力信号をスピーカＳＰＦ，ＳＰＲ，ＳＰＣ，ＳＰＷおよび音声出力部６１ａ，６１ｂに供給して、フロント席およびリア席への再生音の出力を行う。
【００７０】
例えば、ＤＶＤを再生する場合は、フロント側ソース切換スイッチ５６を切り換えてフロントスピーカＳＰＦとＤＳＰ５２とを接続し、ＤＶＤプレーヤ４１から出力される５．１チャンネル信号を、フロントスピーカＳＰＦ、リアスピーカＳＰＲ、センタスピーカＳＰＣおよびウーファＳＰＷにそれぞれ供給して再生音を出力させるようにすればよい。また、チューナ４２を聴取する場合は、フロント側ソース切換スイッチ５６を切り換えてフロントスピーカＳＰＦとチューナ４２とを接続し、チューナ４２から出力される出力信号をフロントスピーカＳＰＦから出力させるようにすればよい。このとき、リア側ソース切換スイッチ５７ａ，５７ｂを切り換えてチューナ４２とリア席用ＴＶユニット６ａ，６ｂの音声出力部６１ａ，６１ｂとを接続してもよい。この場合、リア席の乗員はリア席用ＴＶユニット６ａ，６ｂのスピーカまたはヘッドフォンでチューナ４２からの出力信号を聴取することができる。
【００７１】
図５は、リア席の乗員に対する割込通知時の処理手順を説明するためのフローチャートである。ステップｃ１では、リア席への割込要求が入力されたか否かを判断する。割込要求は、例えばフロント席の乗員が操作部５９から所定の操作を行うことによって入力する。割込要求が入力されたと判断した場合は、ステップｃ２に進む。
【００７２】
ステップｃ２では、リア側ソース切換スイッチ５７ａ，５７ｂを切り換えて外部ソース入力端子Ｔ１（またはＴ２）とリア席用ＴＶユニット６ａ，６ｂの音声出力部６１ａ，６１ｂとを接続する。このとき、２つの音声出力部６１ａ，６１ｂをともに外部ソース入力端子Ｔ１（またはＴ２）に接続するようにしてもよいし、一方の音声出力部だけを外部ソース入力端子Ｔ１（またはＴ２）に接続するようにしてもよい。これによって、外部ソース入力端子Ｔ１（またはＴ２）から入力させる音声信号をリア席の乗員に聞かせることができる。特に、リア席の乗員がヘッドフォンで何らかのソースの出力信号を聴取しているときに有効である。例えば、マイクロフォンからの音声信号を外部ソース入力端子Ｔ１（またはＴ２）に入力させれば、フロント席の乗員の話声をマイクロフォンを介してリア席の乗員に伝えることができ、会話を良好に行うことができるようになる。
【００７３】
また、携帯電話機の音声出力端子を外部ソース入力端子Ｔ１（またはＴ２）に接続すれば、リア席の乗員はヘッドフォンを着けたままで携帯電話機による通話を行うことができるようになる。この場合、携帯電話機の音声出力端子から所定の呼出音が出力されたときに、この呼出音を検出してリア側ソース切換スイッチ５７ａ，５７ｂを切り換えるように構成してもよい。このように構成すれば、リア席の乗員は音楽などをヘッドフォンで聴取しているときであっても、携帯電話機に着信があったことを容易に知ることができるとと
もに、そのまま通話を行うことができるようになる。
【００７４】
ステップｃ３では、割込終了が入力されたか否かを判断する。割込終了の入力は、例えば乗員が操作部５９から所定の操作を行うことによって入力する。割込終了が入力されたと判断した場合は、ステップｃ４に進み、リア側ソース切換スイッチ５７ａ，５７ｂを元に戻す。これによって、割込みによる通話等を終えたリア席の乗員は、割込前に聴取していた音楽などを引続き聴取できるようになる。
【００７５】
上記第２実施形態によれば、以下のような効果を得ることができる。
（１）リア席の乗員がＤＶＤソースの聴取を指示し、フロント席の乗員が他のオーディオソースの聴取を指示すると、他のオーディオソースの音響信号が２つのフロントスピーカＳＰＦから出力され、ＤＶＤ再生による５．１チャンネル信号はミキシングされてリア席用ＴＶユニット６ａ，６ｂの音声出力部６１ａ，６１ｂから出力される。これによって、フロント席およびリア席の各乗員はそれぞれ好適な状態で音響信号を聴取できるようになる。
【００７６】
（２）ＤＶＤ再生による５．１チャンネル信号をダウンミックスした信号を音源４から信号処理装置５に与えて音声出力部６１ａ，６１ｂに供給するように構成すると、音源４と信号処理装置５とを接続する信号線としてダウンミックス信号用の信号線が必要となり、構成が複雑になる。これに対し、本実施形態では、ダウンミックス信号用の信号線が不要となり、構成の簡略化が可能となる。
【００７７】
（３）リア席でＤＶＤソースの音響信号を聴取する場合は、フロントチャンネル信号およびセンタチャンネル信号はリア席用ＴＶユニット６ａ，６ｂの音声出力部６１ａ，６１ｂから出力され、リアチャンネル信号およびウーファチャンネル信号はそれぞれ２つのリアスピーカＳＰＲおよびウーファＳＰＷから出力される。これによって、リア席の乗員はＤＶＤソースの音響信号を、音声出力部６１ａ，６１ｂのみから聴取する場合に比べて好適な状態で聴取することができるようになる。
【００７８】
（４）リア席でＤＶＤソースの音響信号を聴取する場合は、リア席用ＴＶユニット６ａ，６ｂの音声出力部６１ａ，６１ｂに供給されるミキシング信号の音量に整合するように、リアチャンネル信号およびウーファチャンネル信号の各音量が設定される。これによって、リア席の乗員はＤＶＤソースの音響信号をより好適な状態で聴取できるようになる。
【００７９】
（５）リア席乗員への割込み要求が指示されると、外部ソースからの音響信号がリア席用ＴＶユニット６ａ，６ｂの音声出力部６１ａ，６１ｂに供給され、リア席の乗員は外部ソースの音響信号を聴取できるようになる。これによって、外部ソースとして例えばマイクロフォンの音声信号を入力すれば、フロント席の乗員がリア席の乗員に話をすることができるようになり、例えば携帯電話機の音声出力端子の音声信号を入力すれば、リア席の乗員は携帯電話機による通話ができるようになる。
【００８０】
なお、本実施形態は以下のように変更してもよい。
・５．１チャンネルのミキシングは、図６に示すように、ＤＳＰ５２内に加算回路５２ｂを設けてデジタル信号の段階でミキシングし、ミキシングしたデジタル信号をＤ／Ａ変換器５２ｃでアナログ信号に変換した後に、リア側ソース切換スイッチ５７ａ，５７ｂに与えるようにしてもよい。このように、ＤＳＰ５２の構成に応じて、デジタル信号の段階でミキシングしてからアナログ信号に変換してもよいし、アナログ信号に変換してからミキシングしてもよい。
【図面の簡単な説明】
【００８１】
【図１】本発明の第１実施形態である音響再生装置の概略的構成を示すブロック図。
【図２】音響再生装置におけるＤＶＤ再生時の処理手順を説明するためのフローチャート。
【図３】本発明の第２実施形態である音響再生装置の概略的構成を示すブロック図。
【図４】音響再生装置におけるＤＶＤ再生時の処理手順を説明するためのフローチャート。
【図５】リア席の乗員に対する割込通知時の処理手順を説明するためのフローチャート。
【図６】チャンネル信号をデジタル信号の段階でミキシングする場合の構成例を示すブロック図。
【符号の説明】
【００８２】
１，４…音源、２，５…信号処理装置、３…ナビゲーション装置、６ａ，６ｂ…リア席用ＴＶユニット、１１，４１…ＤＶＤプレーヤ、１２…ＣＤプレーヤ、１３，４２…チューナ、２１…フロント用ＤＳＰ、２１ａ，２２ａ…デコード回路、２１ｂ，２２ｂ…遅延回路、２１ｃ，２２ｃ…音量調整回路、２２…リア用ＤＳＰ、２３…フロント切換スイッチ、２４…リア切換スイッチ、２５…センタ切換スイッチ、２６…ウーファ切換スイッチ、２７，５８…制御部、２８，５９…操作部、５１…ＤＩＲ、５２…ＤＳＰ、５２ａ，５２ｃ…Ｄ／Ａ変換器、５２ｂ…加算回路、５３Ｆ，５３Ｒ，５３Ｃ，５３Ｗ…Ｄ／Ａ変換器、５４Ｆ，５４Ｒ，５４Ｃ，５４Ｗ…増幅器、５５…ミキシング回路、５６…フロント側ソース切換スイッチ、５７ａ，５７ｂ…リア側ソース切換スイッチ、６１ａ，６１ｂ…音声出力部、６２ａ，６２ｂ…表示部、ＳＰＦ…フロントスピーカ、ＳＰＲ…リアスピーカ、ＳＰＣ…センタスピーカ、ＳＰＷ…ウーファ、Ｔ１，Ｔ２…外部ソース入力端子。
【図１】
2006287574.tif 000003
【図２】
2006287574.tif 000004
【図３】
2006287574.tif 000005
【図４】
2006287574.tif 000006
【図５】
2006287574.tif 000007
【図６】
2006287574.tif 000008